(57)【特許請求の範囲】
【請求項１】
内視鏡の処置具挿通チャンネルの入口に配置されて、挿通される処置具により内径側から押し広げられる弾力性のある部材からなる環状シール部材と、
上記環状シール部材の内径部分に対して挿脱自在で、挿入時には上記環状シール部材を内径側から押し広げる栓部材と
を有することを特徴とする内視鏡の鉗子栓。
【請求項２】
上記環状シール部材がＯリングであり、内径側から押し広げられることにより外周面が周囲の部材に押し付けられる請求項１記載の内視鏡の鉗子栓。
【請求項３】
内視鏡の処置具挿通チャンネルの入口部分に着脱自在な栓ケースが弾力性のある部材によって形成されていて、上記環状シール部材が上記栓ケースと一体に形成されている請求項１記載の内視鏡の鉗子栓。
【請求項４】
上記環状シール部材に低摩擦抵抗の皮膜がコーティングされている請求項１、２又は３記載の内視鏡の鉗子栓。
【請求項５】
上記環状シール部材が、内径側の部分の厚みが薄い断面形状に形成されている請求項１、２、３又は４記載の内視鏡の鉗子栓。
【請求項６】
上記栓部材を上記処置具挿通チャンネルの入口付近に連結しておくための紐状体が設けられている請求項１ないし５のいずれかの項に記載の内視鏡の鉗子栓。
【発明の詳細な説明】
【０００１】
【発明の属する技術分野】
この発明は、内視鏡の処置具挿通チャンネルの挿入口からの漏れを防止するための内視鏡の鉗子栓に関する。
【０００２】
【従来の技術】
内視鏡の鉗子栓には、一般に、弾力性のある部材からなるシール部材が設けられていて、シール部材に形成されたスリット等からなる閉鎖部が、そこに挿通される処置具により押し広げられるようになっている。シール部材の形状は種々様々である。
【０００３】
【発明が解決しようとする課題】
鉗子栓に挿通される内視鏡用の処置具としては、鉗子、スネア、注射具、バスケット、造影チューブその他多種多様のものがあり、シャフトとして金属製のコイルパイプが用いられたものと、合成樹脂製の可撓性チューブが用いられているものとに大別される。
【０００４】
そのうち、コイルパイプは比較的腰が強いので鉗子栓への挿脱時に問題が生じることは少ないが、可撓性チューブは腰が弱いので、鉗子栓のシール部材のスリットを通過させる際の抵抗によって腰折れが発生し、使用不能になってしまうことが少なくない。かといって、スリット等を緩く形成すると漏れが発生してしまう。
【０００５】
そこで本発明は、シャフトの腰が弱い処置具であっても腰折れさせることなくスムーズに通過させることができ、しかも漏れが発生しない内視鏡の鉗子栓を提供することを目的とする。
【０００６】
【課題を解決するための手段】
上記の目的を達成するため、本発明の内視鏡の鉗子栓は、内視鏡の処置具挿通チャンネルの入口に配置されて、挿通される処置具により内径側から押し広げられる弾力性のある部材からなる環状シール部材と、上記環状シール部材の内径部分に対して挿脱自在で、挿入時には上記環状シール部材を内径側から押し広げる栓部材とを有することを特徴とする。
【０００７】
なお、上記環状シール部材がＯリングであり、内径側から押し広げられることにより外周面が周囲の部材に押し付けられるようにしてもよく、内視鏡の処置具挿通チャンネルの入口部分に着脱自在な栓ケースが弾力性のある部材によって形成されていて、上記環状シール部材が上記栓ケースと一体に形成されていてもよい。
【０００８】
また、上記環状シール部材に低摩擦抵抗の皮膜がコーティングされていてもよく、上記環状シール部材が、内径側の部分の厚みが薄い断面形状に形成されていてもよい。
【０００９】
また、上記栓部材を上記処置具挿通チャンネルの入口付近に連結しておくための紐状体が設けられていてもよい。
【００１０】
【発明の実施の形態】
図面を参照して本発明の実施の形態を説明する。
図７は、処置具１０が内視鏡の処置具挿通チャンネル４に挿通された状態を示している。内視鏡の挿入部１は基端が操作部２に連結されており、処置具挿通チャンネル４の挿入口部が操作部２に配置されていて、そこに鉗子栓３が取り付けられている。
【００１１】
処置具挿通チャンネル４に挿通された処置具１０のシース１１は、先端部分１１ａが内視鏡の挿入部１の先端から前方に突出する。１２は、シース１１の基端に連結された手元操作部である。
【００１２】
図１は、鉗子栓３部分を示している。３１は、処置具挿通チャンネル４に連通接続されて操作部２の表面から突設された処置具挿入口金であり、その口元開口部分に形成された円形のシール材収容溝３２内に、弾力性のある例えばシリコンゴム、ニトリルゴム又はクロロプレンゴム等からなる環状シール部材３３が装填されている。
【００１３】
この環状シール部材３３は、断面形状が円形のＯリングであり、外径寸法がシール材収容溝３２の内径寸法よりやや小さく、内径寸法は、そこに挿通される処置具１０のシース１１の外径寸法より少し小さく形成されている。
【００１４】
環状シール部材３３は、処置具挿入口金３１に螺合する金属製の押さえ蓋３４によって軽く押さえ付けられて、シール材収容溝３２内に固定されている。押さえ蓋３４の中央部分には、処置具１０が挿通自在な直径の処置具挿通チャンネル４の内径とほぼ同寸法の孔が穿設されている。
【００１５】
３５は、鉗子栓３に処置具１０を通さないときに鉗子栓３に被せられる蓋部材であり、ゴム材又はプラスチック材によって形成されている。蓋部材３５の下面中央には、環状シール部材３３の内径部分に差し込まれる棒状の栓部材３６が突設されている。
【００１６】
栓部材３６の外径寸法は、環状シール部材３３の内径寸法より少し太く形成されており、その先端側の部分は、環状シール部材３３の内径部分にスムーズに差し込めるようにテーパ状に漸次細く形成されている。
【００１７】
また、蓋部材３５には、細長い紐部材３７が一体に連結形成されていて、その紐部材３７の端部は処置具挿入口金３１の基部に固定されている。したがって蓋部材３５は、環状シール部材３３から取り外された状態でもその付近に保持されている。
【００１８】
図２は、処置具１０のシース１１が鉗子栓３から処置具挿通チャンネル４内に挿通された状態を示しており、環状シール部材３３は、シース１１によって内径側から押し広げられて、外周面がシール材収容溝３２に押し付けられ、押さえ蓋３４の裏面とシール材収容溝３２の底面にも押し付けられた状態になり、鉗子栓３が完全に密閉された状態になっている。したがって、処置具使用時であっても処置具挿通チャンネル４内からの圧力漏れが全く発生しない。
【００１９】
しかし、環状シール部材３３は密閉状態からシース１１によって押し広げられるのではなく、いわゆるＯリングの締めしろ相当分だけ押し広げられるだけなので、環状シール部材３３からシース１１に加わる挿通抵抗は小さく、シース１１が腰の弱い可撓性チューブ等であっても座屈することなく挿脱させることができる。
【００２０】
なお、環状シール部材３３に、例えば四フッ化エチレン樹脂皮膜等をコーティングしておけば、シース１１に対する摩擦抵抗が減少してシース１１の腰折れをより確実に防止することができる。
【００２１】
図３は、処置具１０を使用しない時の状態を示しており、栓部材３６が環状シール部材３３の内径部分に差し込まれている。その挿脱操作は蓋部材３５を指先で摘んで行われる。
【００２２】
環状シール部材３３は、栓部材３６によって内径側から押し広げられて、外周面がシール材収容溝３２の内周面に押し付けられ、押さえ蓋３４の裏面とシール材収容溝３２の底面にも押し付けられた状態になり、鉗子栓３が完全に密閉された状態になる。したがって、処置具１０の不使用時にも処置具挿通チャンネル４内からの圧力漏れが全く発生しない。
【００２３】
図４は、本発明の第２の実施の形態の鉗子栓３を示しており、蓋部材３５、栓部材３６及び紐部材３７と一体的にゴム材又はプラスチック材で形成された栓ケース３０を、いわゆるルアー口金状に形成された処置具挿入口金３１に対して着脱自在に構成したものである。
【００２４】
栓ケース３０は、処置具挿入口金３１の外周面との間から圧力漏れが生じないように、その部分を締め付けた状態に取り付けられている。
また、この実施の形態においては、環状シール部材３３の断面形状が円形ではなく、内径側の部分がテーパ状に漸次薄肉に形成されている。したがって、処置具１０の挿脱に対する抵抗が減少して、シース１１の座屈をより確実に防止することができる。
【００２５】
なお、本発明はその他様々な実施態様をとることができ、例えば図５に示されるように、環状シール部材３３を栓ケース３０と一体に形成してもよい。この場合には、栓ケース３０は弾力性のある部材によって形成される。
【００２６】
また、環状シール部材３３の断面形状は、図６に示されるように円形部から内方に鍔状部が突出したような形状あるいはその他の形状に形成してもよい。
【００２７】
【発明の効果】
本発明によれば、処置具が挿通される弾力性のあるシール部材が環状に形成されていて、処置具は環状シール部材を内径側から押し広げて通過するだけなので、通過時の抵抗が小さく、シャフトの腰が弱い処置具であっても腰折れさせることなくスムーズに通過させることができ、しかも、処置具使用時の処置具挿通チャンネルからの圧力漏れを完全に防止することができる。
【００２８】
そして、処置具を使用しないときは、環状シール部材を内径側から押し広げるように栓部材を差し込むことにより、処置具挿通チャンネルからの圧力漏れが完全に防止される。
【図面の簡単な説明】
【図１】本発明の第１の実施の形態の内視鏡の鉗子栓の縦断面図である。
【図２】本発明の第１の実施の形態の内視鏡の鉗子栓の処置具使用時の縦断面図である。
【図３】本発明の第１の実施の形態の内視鏡の鉗子栓の処置具不使用時の縦断面図である。
【図４】本発明の第２の実施の形態の内視鏡の鉗子栓の縦断面図である。
【図５】本発明の第３の実施の形態の内視鏡の鉗子栓の縦断面図である。
【図６】本発明の環状シール部材の他の実施例の縦断面図である。
【図７】処置具が内視鏡にセットされた状態の外観図である。
【符号の説明】
３  鉗子栓
４  処置具挿通チャンネル
３０  栓ケース
３１  処置具挿入口金
３２  シール材収容溝
３３  環状シール部材
３５  蓋部材
３６  栓部材
３７  紐部材
【図１】
0003992820.tif 000002
【図２】
0003992820.tif 000003
【図３】
0003992820.tif 000004
【図４】
0003992820.tif 000005
【図５】
0003992820.tif 000006
【図６】
0003992820.tif 000007
【図７】
0003992820.tif 000008